(57)【要約】【課題】簡単に所望枚数の硬貨を残して、硬貨を回収することが出来る硬貨収容カセットを提供することを目的とする。【解決手段】投入された硬貨を選別するとともに釣銭を払い出す硬貨処理装置に着脱自在に装着され、金種別に硬貨を積層して収容する複数のチューブと、前記複数のチューブに開放可能な蓋を備えた硬貨収容カセットにおいて、  前記蓋は、前記上下に分割して開閉可能であって、  前記硬貨収容カセットに積層された硬貨を釣銭用として所定枚数量残して回収するために前記上下に分割された蓋のうち、下側の蓋の高さを前記釣銭用として残す所定枚数の硬貨の積層高さとする。【選択図】図１
2010146314.tif 000002
【特許請求の範囲】
【請求項１】
投入された硬貨を選別するとともに釣銭を払い出す硬貨処理装置に着脱自在に装着され、金種別に硬貨を積層して収容する複数のチューブと、前記複数のチューブに開放可能な蓋を備えた硬貨収容カセットにおいて、
前記蓋は、前記上下に分割して開閉可能であって、
前記硬貨収容カセットに積層された硬貨を釣銭用として所定枚数量残して回収するために前記上下に分割された蓋のうち、下側の蓋の高さを前記釣銭用として残す所定枚数の硬貨の積層高さにしたことを特徴とする硬貨収容カセット。
【請求項２】
前記蓋は、該上蓋が閉じた状態において前記下蓋の開放を阻止する規制部材を具えることを特徴とする請求項１記載硬貨収容カセット。
【発明の詳細な説明】
【技術分野】
【０００１】
自動販売機等に搭載される硬貨処理装置に着脱自在に搭載され、金種別に硬貨を積層して収容する複数のチューブとこのチューブを開閉する蓋が設けられた硬貨収容カセットに関する。
【背景技術】
【０００２】
この種の硬貨処理装置の例として、特開平１１−２８８４７６号公報に開示されたような硬貨処理装置と硬貨収容カセットがある。図３は従来の硬貨処理装置と硬貨収容カセットの一例を説明するための図である。
図３の（Ｃ）は従来の硬貨処理装置１００の概略斜視図であり（Ｂ）は硬貨処理装置１００から取外して裏側にした従来の硬貨収容カセット１０１の概略斜視図であり、（Ａ）は、従来の硬貨収容カセット１０１の側面図である。
【０００３】
硬貨収容カセット１０１は硬貨処理装置１００に着脱自在に搭載されるものであり、釣銭として払い出す硬貨を金種別に積層して収容する５本のチューブ１０２（チューブ１０２ａ，チューブ１０２ｂ，チューブ１０２ｃ，チューブ１０２ｄ，チューブ１０２ｅ）を具えている。
【０００４】
この硬貨収容カセット１０１は、硬貨処理装置１００に装着された状態のとき、自動販売機の利用者（顧客）によって投入された硬貨が硬貨収容カセット１０１へ自動補給されるようになっている。
【０００５】
また、硬貨収容カセット１０１の裏側には、５本のチューブ１０２の内部を露出する（開放する）蓋１０３がヒンジ１０３ａと１０３ｂを介して開閉自在に取り付けられており、この蓋１０３を開くことで各チューブ１０２に収容された硬貨の外周面のほぼ半分を露出させることが出来る。
【０００６】
また、蓋１０３は透明の樹脂で形成されており、さらに硬貨収容カセット１０１に積層して収容された硬貨の枚数が１０枚単位で計れる目盛１０４と目盛の示す収容枚数を表す数字が設けられている。
これにより蓋１０３を閉じた状態の時、目盛１０４と、蓋１０３を通して見える各チューブ１０２に蓄積された硬貨を比べることで各チューブ１０２に収容された硬貨蓄積枚数がわかる。
【０００７】
このような従来の硬貨収容カセット１０１から各チューブ１０２に収納された硬貨を回収する時は、硬貨収容カセット１０１を硬貨処理装置１００本体から取り外し、蓋１０３を開けて硬貨を回収し、更に販売を継続させるために必要な所定の枚数の硬貨を各チューブ１０２に残すようにしている。
【０００８】
このとき、各チューブ１０２（チューブ１０２ａ，チューブ１０２ｂ，チューブ１０２ｃ，チューブ１０２ｄ，チューブ１０２ｅ）に残す分の硬貨を指や手で押えて落下しないように抑えて硬貨収容カセットを傾けて、回収すべき硬貨のみを落下させて回収する。あるいは、回収したい硬貨だけを指で摘んで取り出して回収する。そして、釣銭として利用したい硬貨のみ各チューブ１０２に残すようにしている。この残す硬貨枚数は、自販機の管理によって決まるものである。
【０００９】
必要な硬貨を所望の枚数分各チューブ１０２に残すために、上記のように行うやり方とは別に、硬貨処理装置１００の機能として自動釣銭合わせ機能と呼ばれる機能があり、この機能を利用する場合には、硬貨収容カセット１０１を硬貨処理装置１００本体から外す必要は無いが、作業が完了するまでには時間がかかる。しかし、残す硬貨枚数は、例えばｎ枚以上ｍ枚未満という範囲を持った数値となるのが一般的なので、自動釣銭合わせ機能を利用するよりも、硬貨収納カセットを外して蓋を開け、所望の枚数を残しながら手作業で行うことが、自動販売機設置現場での実際になっている。
【特許文献１】特開平１１−２８８４７６号公報
【発明の開示】
【発明が解決しようとする課題】
【００１０】
しかし、図３に示す従来の硬貨収容カセット１０１は、蓋１０３に目盛１０４が設けられているために、硬貨を回収する際に蓋１０３を開けると、各チュー ブ１０２に収容された硬貨の枚数を確認する為の目盛１０４が利用出来ず、硬貨の回収中に残すべき硬貨の枚数が分りずらい。したがって回収作業が煩雑である。
本発明は、前記の問題に鑑み、所望枚数の硬貨を残して硬貨を回収することが、簡単に出来る硬貨収容カセットを提供することを目的とする。
【課題を解決するための手段】
【００１１】
上述の問題を解決する為に本発明は、
投入された硬貨を選別するとともに釣銭を払い出す硬貨処理装置に着脱自在に装着され、金種別に硬貨を積層して収容する複数のチューブと、前記複数のチューブに開放可能な蓋を備えた硬貨収容カセットにおいて、
前記蓋は、前記上下に分割して開閉可能であって、
前記硬貨収容カセットに積層された硬貨を釣銭用として所定枚数量残して回収するために前記上下に分割された蓋のうち、下側の蓋の高さを前記釣銭用として残す所定枚数の硬貨の積層高さとする。
【００１２】
また、前記硬貨収容カセットは、前記上蓋が閉じた状態において前記下蓋の開放を阻止する規制部材を具える蓋とする。
【発明の効果】
【００１３】
本発明によれば、硬貨収容カセットに収納された硬貨の一部を残して回収する時には、上蓋を開いて露出した硬貨のみを回収し、閉じている下蓋で覆われている硬貨を残すことで、所望の硬貨枚数を残すことが簡単にできる。
【発明を実施するための最良の形態】
【００１４】
以下、この発明の実施例を詳述する。
【実施例１】
【００１５】
図１は本発明に係る硬貨収容カセットの第１の実施例を示す図である。図１（Ａ）は第１の実施例に係る硬貨収容カセット１の側面図であり、図１の（Ｂ）は硬貨収容カセット１の斜視図である。
図１（Ａ）、（Ｂ）に示すように、硬貨収容カセット１は従来の硬貨収容カセット１０１と同様に、５本のチューブ１０２（チューブ１０２ａ，チューブ１０２ｂ，チューブ１０２ｃ，チューブ１０２ｄ，チューブ１０２ｅ）を具える。
また、硬貨収容カセット１は、各チューブ１０２の内部を露出させるための上下に分割して開閉可能な上蓋３と下蓋２を具える。
図１（Ｃ）はこの上蓋３を開いた状態の硬貨収容カセット１の斜視図である。また図１（Ｃ）は上蓋３を開いた状態において釣銭として残すべき硬貨Ａの模様や金額が書かれた面が露出している状態を示している。
【００１６】
なお、第１の実施例に係る硬貨収容カセット１は、従来例の硬貨収容カセット１０１と同様に図３の硬貨処理装置１００に装着されるものである。従って硬貨処理装置は、従来例と相違するところがないので、硬貨処理装置の図示及び説明を省略する。
【００１７】
上蓋３および下蓋２は、従来の硬貨収容カセット１０１と同様に透明の樹脂によって形成されており、硬貨収容カセット１内部に収容された硬貨の枚数がわかるように目盛１０４と収容枚数を表す数字が設けられている。
【００１８】
下蓋２は、硬貨収容カセット１の本体１ａの下部両側面に対してヒンジ２ａ、２ｂを介して開閉自在に取り付けられている。
この下蓋２は、釣銭として残す硬貨が蓄積される領域を開放する蓋であり、釣銭として硬貨収容カセット１に残す硬貨の内、最上部に蓄積される硬貨を含む下方の硬貨の外周面を覆っている。従って、下蓋２の高さは、硬貨回収時に釣銭として残す所定枚数の硬貨の積層高さとなる。
なお、下蓋２は、図１に示すように、各チューブ１０２に釣銭として残す硬貨の枚数がチューブ１０２毎に異なる為、チューブ１０２毎に下蓋２の高さが異なる。
【００１９】
なお、本第１の実施例に示す硬貨収容カセット１は、各チューブ１０２の最下層部が硬貨収容カセット１の本体１ａに一体に形成されており、この為、下蓋２を開いても各チューブ１０２の最下層に収容された硬貨の外周面を露出することが出来ない。これは、硬貨収容カセットの強度を考慮した設計上の理由によるものであり、強度の問題を別とすれば、下蓋２を最下層も開放可能なものとしても構わない。
【００２０】
上蓋３は、硬貨収容カセット１の本体1ａの上部両側面に対してヒンジ３ａ、３ｂを介して開閉自在に取り付けられている。
また、上蓋３は、下蓋２より上方の回収する硬貨の周面を覆うための蓋であって、回収すべき硬貨の内、少なくとも最下部に蓄積される硬貨の外周面を含む上方の硬貨を覆っている。
【００２１】
なお、各チューブ１０２の最上層に積層された硬貨を覆う部分は、硬貨収容カセット１ａと一体に形成されており上蓋３を開いても各カセットの最上層に収容された硬貨の外周面を露出することはできない。これは、硬貨収容カセットの強度および上蓋の回動範囲を確保する為の設計上の理由によるものであり、設計上の問題を別とすれば、上蓋３を最上部も開放可能なものとしても構わない。
【００２２】
さらに、上蓋３および下蓋２には、それぞれ蓋を硬貨収容カセット１の本体１ａに対して係止するためのラッチ５a、５ｂとラッチ６ａ、６ｂが設けられており、上蓋３を開く時は、ラッチ５ａ、５ｂを両側面方向から内側方向へと付勢するように指で摘むことで開放する。下蓋も同様にラッチ６ａ、６ｂを指で摘むことで開放する。
【００２３】
さらに、上蓋３と下蓋２が近接する部分には、上蓋３が閉じている時に、下蓋２の開放を阻止する規制部材が設けられている。この規制部材は、図１（Ｂ）及び（Ｃ）に示すように上蓋３の下端の両側面から下方向へ伸びるリブ４ａ、４ｂからなる。このように配置されたリブ４ａ、４ｂは、上蓋３が閉じられた状態において、下蓋２に重なることで下蓋２の開放を阻止する。したがって下蓋２は上蓋３閉じた状態では開くことが出来ない。
【００２４】
以下、第１の実施例の硬貨収容カセット１から硬貨を回収する方法を説明する。
硬貨を回収するときは、図示しない硬貨処理装置から、硬貨収容カセット１を取外し、上蓋３だけを開く。
そして、各チューブ１０２に収容された硬貨の内、外周面が露出した硬貨を指で取り出す。あるいは、硬貨収容カセット１を斜めに傾けて外周面が露出した硬貨を落下させて排出させる。このように回収すれば、釣銭として残すべき所望の枚数の硬貨だけを硬貨収容カセット１へ残すことができる。
【００２５】
尚、より回収硬貨を増やしたい場合（残したい硬貨を減らしたい場合）に時は、下蓋２も開いて下蓋２によって覆われた部分の硬貨の外周も露出させて、この露出した硬貨を指で摘んで回収すればよい。
【実施例２】
【００２６】
図２は本発明に係る硬貨収容カセットの第２の実施例を示す図である。図１（Ａ）は第２の実施例に係る硬貨収容カセット１０の側面図であり、図２の（Ｂ）は硬貨収容カセット１０の斜視図である。
図２（Ａ）、（Ｂ）に示すように、硬貨収容カセット１０は、従来の硬貨収容カセット１０１及び第１の硬貨収容カセット１と同様に、５本のチューブ１０２（チューブ１０２ａ，チューブ１０２ｂ，チューブ１０２ｃ，チューブ１０２ｄ，チューブ１０２ｅ）を具える。
また、硬貨収容カセット１０は、各チューブ１０２の内部を露出させるための上下に分割して開閉可能な上蓋１３と下蓋１２を具える。
図２（Ｃ）はこの上蓋１３を開いた状態の硬貨収容カセット１０の斜視図である。また図２（Ｃ）は上蓋１３を開いた状態において釣銭として残すべき硬貨Ａの模様や金額が書かれた面が露出している状態を示している。
【００２７】
なお、第２の実施例に係る硬貨収容カセット１０は、従来例の硬貨収容カセット１０１と同様に図３の硬貨処理装置１００に装着されるものである。従って硬貨処理装置は、従来例と相違するところがないので、硬貨処理装置の図示及び説明を省略する。
【００２８】
上蓋１３および下蓋１２は、従来の硬貨収容カセット１０１と同様に透明の樹脂によって形成されており、硬貨収容カセット１０内部に収容された硬貨の枚数がわかるように目盛１０４と収容枚数を表す数字が設けられている。
【００２９】
下蓋１２は、硬貨収容カセット１０の本体１０ａの下部両側面に対してヒンジ１２ａ、１２ｂを介して開閉自在に取り付けられている。
この下蓋１２は、釣銭として残す硬貨が蓄積される領域を開放する蓋であり、釣銭として硬貨収容カセット１０に残す硬貨の内、最上部に蓄積される硬貨を含む下方の硬貨の外周面を覆っている。従って、下蓋１２の高さは、硬貨回収時に釣銭として残す所定枚数の硬貨の積層高さとなる。
なお、下蓋１２は、図２に示すように、各チューブ１０２に釣銭として残す硬貨の枚数がチューブ１０２毎に異なる為、チューブ１０２毎に下蓋１２の高さが異なる。
【００３０】
なお、本第２の実施例に示す硬貨収容カセット１０は、各チューブ１０２の最下層部が硬貨収容カセット１０の本体１０ａに一体に形成されており、この為、下蓋１２を開いても各チューブ１０２の最下層に収容された硬貨の外周面を露出することが出来ない。これは、硬貨収容カセットの強度を考慮した設計上の理由によるものであり、強度の問題を別とすれば、下蓋１２を最下層も開放可能なものとしても構わない。
【００３１】
上蓋１３は、下蓋１２の上部両側面に対してヒンジ１３ａ、１３ｂを介して開閉自在に取り付けられている。
また、上蓋１３は、下蓋１２より上方の回収する硬貨の外周面を覆うための蓋であって、回収すべき全ての硬貨の外周面のほぼ半分を開放可能に設けられている。
【００３２】
さらに、上蓋１３および下蓋１２には、それぞれ蓋を硬貨収容カセット１０の本体１０ａに対して係止するためのラッチ１５a、１５ｂとラッチ１６ａ、１６ｂが設けられており、上蓋１３を開く時は、ラッチ１５ａ、１５ｂを両側面方向から内側方向へと付勢するように指で摘むことで開放する。下蓋１２も同様にラッチ１６ａ、１６ｂを指で摘むことで開放する。
このように構成したことで、たとえ下蓋１２のラッチ手段１６ａ、１６ｂを摘んでも、上蓋のラッチ１５ａ、１５ｂが係止している状態では、下蓋１２を開くことは出来ない。
【００３３】
以下、第２の実施例の硬貨収容カセット１０から硬貨を回収する方法を説明する。
硬貨を回収するときは、図示しない硬貨処理装置から、硬貨収容カセット１０を取外し、上蓋１３だけを開く。そして、各チューブ１０２に積層された硬貨の内、外周面が露出した硬貨を指で取り出す。あるいは、硬貨収容カセット１０を斜めに傾けて外周面が露出した硬貨を落下させて排出させる。このように回収すれば、釣銭として残すべき所望の枚数の硬貨だけを硬貨収容カセット１０へ残すことができる。
【００３４】
尚、より回収硬貨を増やしたい場合（残したい硬貨を減らしたい場合）が発生した時は、下蓋１２も開けば、下蓋１２によって覆われた部分の硬貨の外周も露出するから、この露出した硬貨を指で摘んで回収することが可能になる。
【図面の簡単な説明】
【００３５】
【図１】本発明に係る硬貨収容カセットの第１の実施例を説明するための図。
【図２】本発明に係る硬貨収容カセットの第２の実施例を説明するための図。
【図３】従来の硬貨処理装置１００の概略斜視図。
【符号の説明】
【００３６】
１      第１の実施例の硬貨収容カセット
２      第１の実施例の下蓋
３      第１の実施例の上蓋
４ａ，４ｂ  規制部材
１０    第２の実施例の硬貨収容カセット
１２    第２の実施例の下蓋
１３    第２の実施例の上蓋
１００  硬貨処理装置
１０１  従来の硬貨収容カセット
１０２ａ、１０２ｂ、１０２ｃ、１０２ｄ、１０２e  チューブ
１０３  蓋
１０４  各チューブに蓄積された硬貨の枚数を計るための目盛
Ａ    硬貨
【図１】
2010146314.tif 000003
【図２】
2010146314.tif 000004
【図３】
2010146314.tif 000005